(57)【要約】【課題】定期券を購入する際、種々の条件のもとに、指定した乗車駅，降車駅に対する複数の候補経路から希望する経路を選択することを可能とする。【解決手段】乗車駅と降車駅とが顧客によって指定されると、それら間の経路が検索され、その検索結果に基づいて、経路を示す経路表示エリア５１ａが表示される（図１２（ａ））。また、複数の経路が検索されたときには、所定時間経過後、２つ目の経路を示す表示エリア５１ｂが表示される（図１２（ｂ））。この場合、表示される順序は所定の条件で決められており、所要時間が短いものが、まず、表示され、次に、代金が安いものが表示される。また、各表示エリア５１ａ，５１ｂには夫々、定期券の有効期間毎の代金を示す表示エリア５２ａ，５２ｂが表示される。表示エリア５１か表示エリア５２の有効期間かを指定することにより、所望とする経路を選択できる。【選択図】図１２
2006031362.tif 000002
【特許請求の範囲】
【請求項１】
定期券購入のために指定された乗車駅から降車駅までの経路が検索され、その検索結果を表示する券売機の画面表示方法において、
検索された複数の該経路を表わす情報を予め決められた条件に従った配列で表示すると同時に、表示される該経路を表わす情報毎に、該経路での該定期券の有効期間毎の代金を表示し、
該経路を表わす情報の表示エリアや該有効期限毎の代金を表わす表示エリアを指示することにより、所望とする経路を選択可能としたことを特徴とする券売機の画面表示方法。
【請求項２】
請求項１において、
前記経路を表わす情報を表示する表示エリアには、該当する前記条件と所要時間が表示されることを特徴とする券売機の画面表示方法。
【請求項３】
請求項１または２において、
複数の前記経路を表わす情報の配列条件は、所要時間や代金によるものであって、所要持間が最も短い経路を表わす情報を先頭に表示し、代金が最も安い経路を表わす情報を次に表示するように、前記経路を表わす情報の表示配列を決めるものであることを特徴とする券売機の画面表示方法。
【請求項４】
請求項１，２または３において、
前記経路を表わす情報を表示する表示エリアを指定することにより、指定された経路に対する定期券の有効期間を決めるための期間選択画面が表示され、
前記有効期限毎の代金を表わす表示エリアでの有効期限を指定することにより、定期券の経路と有効期限，代金とを決めることを特徴とする券売機の画面表示方法。
【発明の詳細な説明】
【技術分野】
【０００１】
本発明は、定期券を購入可能とした券売機に係り、特に、顧客が定期券を購入するために操作する画面の表示方法に関する。
【背景技術】
【０００２】
駅構内などに設置される列車の券売機では、顧客が画面をタッチ操作しながら乗車券，指定券，回数券などのチケットや定期券の購入に必要な情報を入力し、かかる入力情報に応じて画面表示を行ない、希望するチケットや定期券を購入できるようにしている。
【０００３】
このような券売機の一例として、回数券や座席予約券を購入する場合、顧客に乗車する線区を選択させ、その線区での駅名を画面に表示し、その中から希望する駅名を選択するのであるが、乗車駅と降車駅毎に選択された線区での全ての駅名を画面に表示し、その中から希望する駅名を見つけ出して指定するような技術が提案されている（例えば、特許文献１参照）。
【０００４】
また、他の例としては、定期券や乗車券を購入するための券売機において、利用客が入力した乗車駅と降車駅とから複数の経路を選べるようにした券売機が提案されている（例えば、特許文献２参照）。
【０００５】
これは、利用者が乗車駅と降車駅とを入力すると、この乗車駅と降車駅とによる経路を検索し、複数の経路が検索されたときには、売れ筋の高い順に所定個数選択して画面表示し、利用者にいずれかを選択させるものであり、利用者によって１つの経路が選択されると、次に、この選択された経路に対する料金が検索されて画面表示され、この料金の入力（支払い）が促される。これによって利用者が料金を入力すると、定期券が発券され、利用者は定期券を購入できる。
【特許文献１】特開平８ー１０６５５４公報
【特許文献２】特開平８ー１６８２７号公報
【発明の開示】
【発明が解決しようとする課題】
【０００６】
ところで、上記特許文献１に記載の発明では、選択した線区の全ての駅名が表示され、その中から希望する駅名を見つけ出して選択するものであるから、非常に多くの駅名の中から希望する駅名を見つけ出さなければならず、特に、馴れていない地域などで新規に定期券を購入する場合などでは、非常な手間と時間がかかるという問題があった。
【０００７】
また、上記特許文献２に記載の技術のように、複数の経路を同時に表示されると、利用者としても、好みの経路を選択できて便利ではあるが、利用者のその経路の選択の基準としては、売れ筋だけに基づくものであるから、どのような路線を通るのかということを知ることができるだけである。料金にしても、選択された経路に対してだけ表示されるものである。しかし、利用者にとっては、売れ筋だけでなく、料金や所要時間など諸々の条件を考慮して経路を選択したい場合もあり、特許文献２に記載の技術では、このような選択をすることができないことになる。
【０００８】
本発明の目的は、かかる問題を解消し、種々の条件のもとに、複数の候補経路から希望する経路を選択することを可能とした券売機の画面表示方法を提供することにある。
【課題を解決するための手段】
【０００９】
上記目的を達成するために、本発明は、定期券購入のために指定された乗車駅から降車駅までの経路が検索され、その検索結果を表示する券売機の画面表示方法であって、検索された複数の経路を表わす情報を予め決められた条件に従った配列で表示すると同時に、表示される経路を表わす情報毎に、この経路での定期券の有効期間毎の代金を表示し、経路を表わす情報の表示エリアや有効期限毎の代金を表わす表示エリアを指示することにより、所望とする経路を選択可能としたものである。
【００１０】
また、経路を表わす情報を表示する表示エリアには、該当する上記条件と所要時間が表示されるものである。
【００１１】
また、複数の経路を表わす情報の配列条件は、所要時間や代金によるものであって、所要持間が最も短い経路を表わす情報を先頭に表示し、代金が最も安い経路を表わす情報を次に表示するように、経路を表わす情報の表示配列を決めるものである。
【００１２】
また、経路を表わす情報を表示する表示エリアを指定することにより、指定された経路に対する定期券の有効期間を決めるための期間選択画面が表示され、有効期限毎の代金を表わす表示エリアでの有効期限を指定することにより、定期券の経路と有効期限，代金とを決めるものである。
【発明の効果】
【００１３】
以上説明したように、本発明によると、種々の条件のもとに、複数の候補路線から希望する路線を選択することができる。
【発明を実施するための最良の形態】
【００１４】
以下、本発明の実施形態を図面により説明する。  
図１は本発明による券売機の乗・降車駅等選択画面の表示方法を用いたシステムを示す構成図であって、１は券売機、２はサーバ、３はネットワーク、４はルータ、５は制御部、６は接客ディスプレイ、７はタッチパネル、８は入力ユニット、９はカードユニット、１０は現金ユニット、１１は発券ユニット、１２は記憶装置、１３はジャーナルプリンタである。
【００１５】
同図において、駅構内などに設置される券売機１は、その制御部５がルータ４，ネットワーク３を介してサーバ２に接続されている。また、この券売機１は、タッチパネル７が設けられた接客ディスプレイ６，テンキーの入力処理を行なう入力ユニット８，料金支払いのために挿入されたカードの処理を行なうカードユニット９，支払われる現金の処理を行なう現金ユニット１０，定期券などの発券処理を行なう発券ユニット１１，接客ディスプレイに表示する画面の画像情報やその他の必要な情報を記憶した記憶装置１２，取引結果を記録するためのジャーナルプリンタ１３などを備えており、これらが制御部５の制御のもとに動作する。
【００１６】
以下、定期券の新規購入の場合について説明するが、新規購入の場合には、購入できる定期券の種類は通勤定期券である。
【００１７】
図２は図１における券売機１の一具体例の外観を示す斜視図であり、図３（ａ）はこの券売機１の正面図、同図（ｂ）は同じく右側面図、同図（ｃ）は同じく左側面図、同図（ｄ）は同じく平面図、同図（ｅ）は同じく底面図、同図（ｆ）は同じく背面図である。
【００１８】
図２及び図３（ａ）〜（ｆ）において、券売機１の前面側には、その上部側に入力ユニット８の入力手段としてのタッチパネル７を備えた接客ディスプレイ６が設けられている。この接客ディスプレイ６の下側では、筐体の突出部１４が形成されており、この突出部１４に形成された窪みの正面壁面側に現金ユニット１０，発券ユニット１１が、この窪みの棚面に入力ユニット８の入力手段としてのテンキー１５が夫々設けられている。そして、かかる接客ディスプレイ６でタッチ操作することにより、定期券の購入などを行なうことができる。現金ユニット１０では、定期券購入などのための料金を支払うための紙幣やコインといった現金の投入口１８，カードの挿入／排出口１６，釣銭の排出口などが設けられ、また、発券ユニット１１では、購入した定期券を排出する定期券排出口１７が設けられている。
【００１９】
図１において、記憶装置１２には、顧客などが定期券購入などのための操作に必要な画面が記憶されており、制御部５の制御のもとに、これが読み出されて接客ディスプレイ６に表示される。この接客ディスプレイ６では、顧客が、そのタッチパネル７をタッチ操作することにより、購入しようとする定期券の乗／降車駅や乗車経路，有効期間などを指定する情報を入力すると、この入力された指定情報が、制御部５の制御のもとに、ルータ４及びネットワーク３を介してサーバ２に供給される。このサーバ２では、券売機１からのこの定期券購入のための指定情報をもとに、乗／降車駅やその間の乗車経路，定期券の購入金額（定期券料金）などを検索し、その検索結果の情報をネットワーク３，ルータ４を介して券売機１の制御部５に渡す。制御部５は、サーバ２の検索結果を記憶装置１２に記憶するとともに、これを読み出して顧客ディスプレイ７に顧客が指定した乗／降車駅やその間の乗車経路，定期券領域などを表示する。これにより、顧客は、乗／降車駅や乗車経路の確認をすることができるとともに、タッチパネル７をタッチ操作することにより、希望の乗車経路の定期券を指定することができる。
【００２０】
顧客が、接客ディスプレイ６でのタッチパネル７をタツチ操作して希望の乗車経路の指定をし、現金ユニット１０に対して現金による、もしくはカードユニット９に対してカードによる定期券料金の支払いをすると、発券ユニット１１が動作して定期券を作成し、これを定期券排出口１７（図２）から排出して顧客に渡す。
【００２１】
なお、ここでは、顧客が接客ディスプレイ６でのタッチパネル７を操作することにより、この操作に伴う指定情報に応じて定期券に関する乗／降車駅，乗車経路，定期券料金などの情報（以下、定期券情報という）がサーバ２で検索されて制御部５に送られるものとしたが、この券売機１で定期券を発券可能なエリア（例えば、関東地方全域など）での定期券情報を予めサーバ２から予め制御部５の図示しない記憶装置に取り込んでおき、顧客のタッチパネル７の操作に伴う定期券発券のための定期券情報として、この記憶装置に格納されている情報を用いるようにしてもよい。このような場合には、サーバで定期券情報が変更されたとき、この制御部５がこの定期券情報を取り込み、その記憶装置の定期券情報を更新することになる。また、例えば、定期券の乗車経路については、サーバ２で検索し、定期券の料金の計算は制御部５で行なうなど、定期券発券作業をサーバ２と制御部５とで分担するようにしてもよい。
【００２２】
次に、図４により、かかる券売機１での本発明による画面表示方法の一実施形態を説明する。
【００２３】
券売機１に電源が投入されると、制御部５（図１）は記憶装置１２（図１）から初期画面の画像情報を読み取り、接客ディスプレイ６（図２）に図５に示す初期画面２０を表示させる（図４のステップ２００）。
【００２４】
なお、図５〜図２４に示す画面は、図２及び図３に示す外観の券売機（乗車券自動販売機）の接客ディスプレイ６に表示されるものであり、この画面表示は、部分意匠としても、特徴的である。
【００２５】
この初期画面２０は、図５に示すように、定期券の新規購入の手続き操作を行なうための「新規購入」ボタン２１と、予約した定期券の受取の手続き操作を行なうための「予約受取」ボタン２２と、定期券の継続購入の手続き操作を行なうための「継続」ボタン２３とが表示される。なお、乗車券や指定券などの他のチケットの購入などの手続きができる場合には、夫々に相当する操作ボタンが表示されるが、ここでは、定期券の購入に関するボタンのみを示している。
【００２６】
なお、各操作ボタン毎にアイコン２１ａ，２２ａ，２３ａを表示し、各ボタン２１〜２３の機能を視覚的に認識できるようにすることもできる。
【００２７】
いま、定期券を新規購入するものとして、「新規購入」ボタン２１をタッチ操作すると（図４のステップ２０１）、制御部５（図１）は記憶部１０から次の画像情報を読み取り、接客ディスプレイ６に図６に示す乗車駅入力画面３０が表示される（図４のステップ２０２）。
【００２８】
この乗車駅入力画面３０では、まずは、特定の路線での乗車駅として候補となる駅名（候補乗車駅名）を表示したタッチキーとして機能する特定路線乗車駅表示欄３１と、他路線案内メッセージ３２と、キーボード３３と、「ローマ字」ボタン３３ａと、このキーボード３３で駅名が入力できることを案内した入力操作案内メッセージ３３ｂと、「一字削除」ボタン３５と、「取消」ボタン３６と、「戻る」ボタン３７とが表示される。また、入力操作案内メッセージ３３ｂの前にキーボード３３で入力された文字を表示する入力文字表示エリア３４が設けられている。
【００２９】
この特定路線乗車駅表示欄３１に表示される候補乗車駅名は、この券売機１に対して決められた特定の鉄道会社の路線（以下、特定路線という）の駅を表わすものである。この特定路線とは、この券売機１が設置されている駅を含む路線をいう。従って、この駅が複数の異なる鉄道会社の路線の駅である場合には、これら複数の路線が特定路線であり、これら特定路線での駅が特定路線乗車駅表示欄３１で駅名が表示される対象となる。また、他路線案内メッセージ３２での「他路線」とは、この特定路線の駅を含むこの券売機１で通勤定期券を発行できるエリア（例えば、関東一円など）において、この特定路線以外の路線（即ち、この特定の鉄道会社以外の鉄道会社の路線や、この特定の鉄道会社の路線であっても、この特定路線ではない路線）をいうものである。
【００３０】
例えば、図７において、Ｙエリア内のｘ駅に設置されている券売機１の場合、このｘ駅がＡ社のａ路線とＢ社のｂ路線の駅とすると、これらＡ社のａ路線とＢ社のｂ路線とが上記の特定路線となり、これら特定路線のＹエリアに含まれる駅が乗車駅表示欄３１に候補駅名が表示される駅ということになる。また、ｘ駅はＡ社のｄ路線の駅ではないので、Ａ社であっても、この路線ｄは上記の他路線ということになる。勿論、ｘ駅を通らないＣ社のｃ路線も、他路線である。
【００３１】
なお、１つの駅が複数の異なる鉄道会社の路線の駅である場合には、券売機は鉄道会社毎に異なる場所に設定されることがある。このような場合には、券売機が設定されている場所の鉄道会社の路線のみを特定路線とし、他の鉄道会社の路線は他路線としてもよい。１つの駅が同じ鉄道会社の複数のことなる路線の駅である場合には、これら複数の路線が特定路線となる。
【００３２】
図６に示す乗車駅入力画面３０の特定路線乗車駅表示欄３１では、まず、初期表示として、この券売機１が設置されている駅の駅名（ここでは、「池野前」とする）が候補駅名として表示される。この「池野前」駅を乗車駅とする定期券を購入する場合には、この特定路線乗車駅表示欄３１を顧客がタッチ操作することにより、後述する降車駅入力画面に移るが（図４のステップ２０３）、他の駅を乗車駅としたい場合には、表示される入力操作案内メッセージ３３ｂに従ってキーボード３３をタッチ操作することにより、希望する乗車駅を指定することができる。
【００３３】
なお、このキーボード３３では、図示する状態でカナ入力となっているが、「ローマ字」ボタン３３ａをタッチ操作することにより、アルファベットのキー配列となり、ローマ字入力が可能となる。また、「一字削除」ボタン３４はキーボード３３で入力された文字を入力の新しい順に削除するためのものであり、「取消」ボタン３６は初期画面２０での選択を取り消すものであり、初期画面２０に戻すためのものである。さらに、「戻る」ボタン３７はキーボード３３の操作を取り消すとともに、１つ前の操作の画面（この場合には、図５に示す初期画面２０）に戻すためのものである。以上のことは、後述する他の画面についても、同様である。
【００３４】
いま、図６に示す表示状態で、他の駅を定期券の乗車駅としたいために、キーボード３３をタッチ操作すると、図８に示すように、入力文字表示エリア３４に入力された文字が表示された乗車駅入力画面３０ａとなる。このように、入力文字表示エリア３４に入力文字が表示されると、入力操作案内メッセージ３３ｂ（図６）は消える。
【００３５】
また、キーボード３３のタッチ操作で文字が入力されると、最初の入力文字が入力されるとともに、制御部５（図１）はこの文字で始まる駅名を検索し（駅名が、上記のように、サーバ２（図１）から取り込まれているとき）、あるいはこの文字で始まる駅名をサーバ２から取り込み、これを候補駅名として乗車駅名入力画面３０に表示させる。
【００３６】
図８に示す乗車駅名入力画面３０ａは、キーボード３３で最初の文字「サ」が入力されたときのものであり、このとき、この文字「サ」で始まる駅名「桜葉丘」，「山海山地」の駅が特定路線に２つあるものとしており、これら「桜葉丘」，「山海山地」駅毎に特定路線乗車駅表示欄３１ａ，３１ｂが設けられ、夫々毎にその駅名が候補駅名として表示される。ここで、特定路線乗車駅表示欄３１の表示可能な個数（即ち、候補駅名の個数）は制限されており、この制限数を越える特定路線の駅名が検索された場合には、特定路線乗車駅表示欄３１が表示されず、従って、特定路線での候補乗車駅名は表示されない。ここでは、特定路線乗車駅表示欄３１を３個まで表示できるとしており、この場合、２個検索されたものであるから、図示するように、特定路線乗車駅表示欄３１ａ，３１ｂで夫々駅名「桜葉丘」，「山海山地」が乗車駅の候補として表示されていることになる。また、表示される候補駅名は、複数個ある場合、所定の条件（例えば、利用頻度の大小やこの券売機１の設置駅（この例では、図６に示す池野前駅）に近い順など）に従う順次で表示される。図８において、設置駅に近い順とすると、桜葉丘駅の方が、山海山地駅よりも、池野前駅に近い、あるいは利用頻度が高いということになる。
【００３７】
また、ここでは、特定路線についてだけ候補駅名が表示されたものであるが、他路線についても、文字「サ」で始まる駅名の駅が検索され、検索された場合には、他路線案内メッセージ３２に代わってこれら駅名が候補駅名として表示される。この点については、後述の降車駅入力画面で説明する。この他路線の候補駅名の表示可能な個数も制限されており（以下では、図１１で説明する降車駅入力画面と同様、４個とする）、この制限数を越える候補駅名が検索されたときには、１つも表示されない。また、表示される候補駅名は、複数個ある場合、所定の条件（例えば、利用頻度の大小やこの券売機１の設置駅（この例では、図６に示す池野前駅）に近い順など）に従う順次で表示される。図８では、他路線について駅名が検索された結果、該当する候補駅名が１つも得られなかったか、制限数以上の候補駅名が検索されたことにより、他路線の乗車駅の候補駅名は表示されていない。
【００３８】
以上のように、特定路線の乗車駅にしろ、他路線の乗車駅にしろ、その制限数を越える候補駅名が検索されたとき、乗車駅入力画面３０ａで表示されないが、キーボード３３をタッチ操作することにより、次の文字を入力すると、最初の入力文字「サ」とこの文字（例えば、「ン」）とによる文字列「サン」で始まる駅名の上記の検索が行なわれることになり、検索条件が限定されることになる。このため、制御部５（図１）で文字「サ」で始まる候補駅名の中から文字「サン」で始まる候補駅名が検索されることになり、検索の結果得られる候補駅名が限られてくる。このようにして、キーボード３３のタッチ操作を行なう毎に検索される候補駅名の個数が減少していき、乗車駅入力画面３０で表示可能となる。勿論、特定路線の候補駅名の検索個数がその制限数以下であり、他路線の候補駅名の検索個数がその制限数を越えている場合には、特定路線の候補駅名のみが表示されることになり、その逆の場合には、他路線の候補駅名のみが表示される。従って、他路線の駅を乗車駅としたい場合には、特定路線の候補駅名だけしか表示されていなくとも、他路線の候補駅名が表示されるまでキーボード３３のタッチ操作を順次行なえばよい。
【００３９】
図８に示す乗車駅入力画面３０ａにおいて、顧客が乗車駅を「山海山地」駅とするために、特定路線乗車駅表示欄３１ｂをタッチ操作すると、制御部５は乗車駅名を「山海山地」と決定してその情報を保持し、記憶装置１２から次の降車駅の指定のための次の画像情報を読み取り、接客ディスプレイ６に、図９に示す降車駅入力画面４０を表示する（図４のステップ２０３）。
【００４０】
この降車駅入力画面４０において、特定路線降車駅表示欄４１，他路線案内メッセージ４２，キーボード４３，「ローマ字」ボタン４３ａ，入力操作案内メッセージ４３ｂ，「一字削除」ボタン４５，「取消」ボタン４６及び「戻る」ボタン４７が表示される。
【００４１】
この降車駅入力画面４０での特定路線降車駅表示欄４１には、まず、予め決められた駅名（ここでは、「中央栄町」）が、初期の候補駅名として、表示される。この初期の候補駅名は、所定の条件（この券売機１が設置されている「池野前」駅、もしくは図８に示す乗車駅入力画面３０ａで決められた乗車駅から最も近い駅、または、かかる駅を乗車駅としたときの降車駅となる頻度が高い駅）に基づいて決められているものである。
【００４２】
ここで、他路線案内メッセージ４２、キーボード４３，「ローマ字」ボタン４３ａ，入力操作案内メッセージ４３ｂ，「一字削除」ボタン４５，「取消」ボタン４６及び「戻る」ボタン４７は夫々、図８，図９の乗車駅入力画面３０，３０ａでの他路線案内メッセージ３２、キーボード３３，「ローマ字」ボタン３３ａ，入力操作案内メッセージ３３ｂ，「一字削除」ボタン３５，「取消」ボタン３６及び「戻る」ボタン３７と同様のものであるので、説明を省略する。
【００４３】
この特定路線降車駅表示欄４１に表示される中央栄駅を降車駅とする場合には、この特定路線降車駅表示欄４１をタッチ操作することにより、制御部５（図１）が動作し、上記と同様にして、接客ディスプレイ６に後述の路線・期間選択画面を表示させるが、他の駅を降車駅とする場合には、乗車駅入力画面３０，３０ａの場合と同様、キーボード４３をタッチ操作して駅名を入力する。
【００４４】
このキーボード４３のタッチ操作により、まず、例えば、文字「カ」が入力されると、制御部５により、この文字「カ」で始まる駅名が検索され、この結果、特定路線で２つの駅名「川岸」，「海浜ランド」が降車駅として候補となる駅名（以下、候補降車駅名または候補駅名という）として検索されたとすると、例えば、図１０に示すように、降車駅入力画面４０ａにおいて、駅名「川岸」を表わす特定路線降車駅表示欄４１ａと駅名「海浜ランド」を表わす特定路線降車駅表示欄」４１ｂとが候補駅名として表示される。この場合、表示される特定路線降車駅表示欄４１の個数（従って、候補降車駅名の個数）も、乗車駅入力画面３０ａ（図８）の場合と同様、制限されており、ここでも、この制限数を３個とする。駅名の検索結果、候補駅名が１つも得られない場合やこの制限数を超えて候補駅名が得られた場合には、特定路線降車駅表示欄４１による候補駅名は表示されない。また、検索された候補降車駅名の配列順序も、上記の決定された乗車駅あるいはこの券売機１の設置駅から近い順、これら駅から降車駅となる頻度が高い順といった条件によって決められる。
【００４５】
また、他路線でも、文字「カ」で始まる候補駅名が制限数以下検索されれば、表示されるが、ここでは、検索されなかったか、制限数を超える候補駅名が検索されたとして、候補駅名は表示されず、他路線案内メッセージ４２が表示されている。この制限数は、例えば、４個とする。
【００４６】
特定路線降車駅表示欄４１ａ，４１ｂに表示される特定路線の候補駅名が希望する降車駅でないため、顧客がキーボード４３をタッチ操作して次の文字「イ」を入力すると、制御部５が入力文字「カイ」で始まる駅名を検索し、その検索結果に基づいて図１１に示す降車駅入力画面４０ｂを表示する。
【００４７】
ここでは、制御部の検索の結果、文字「カイ」で始まる駅名が他路線で制限数の４個、特定路線で１個検索されたものとしており、降車駅入力画面４０ｂでは、他路線案内メッセージ４２（図１０）に代わって、検索された４個の各鉄道会社の駅名「海岸公園」，「海山」，「海山市役所」，「海浜スタジアム」が夫々他路線降車駅表示欄４８ａ，４８ｂ，４８ｃ，４８ｄに候補駅名として表示される。また、図１０に示す降車駅入力画面４０ａでは、特性路線の文字「カ」で始まる２つの降車駅の駅名「川岸」，「海浜ランド」が表示されていたが、文字「カイ」で始まる特定路線の駅名の検索はこの２つの候補駅名に対して行なわれ、この結果、図１１に示す降車駅入力画面４０ｂでは、特定路線の候補降車駅として、駅名「海浜ランド」のみが特定路線降車駅表示欄４１に候補駅名として表示されることになる。
【００４８】
この降車駅入力画面４０ｂでは、特定路線と他路線とで制限数以下の候補駅名が表示された状態にあり、必要な全ての候補駅名が表示されていることになる（この降車駅入力画面４０ｂにおいて、キーボード４３をタッチ操作してさらに文字を入力しても、この画面４０ｂで表示される特定駅及び他路線の候補駅名の中から検索が行なわれるものであり、表示される候補駅名がさらに制限されるだけのものである）。従って、顧客はこれらの表示されている候補駅名から所望の駅名の駅を降車駅として選択することができる。このために、キーボード４３や「ローマ字」ボタン４３ａは使用不能状態となり、顧客の無駄な操作ができないようにしている。
【００４９】
このようにして、乗車駅入力画面３０，３０ａでは、検索された駅名が特定路線と他路線とに分けて候補駅名として表示されるものであるから、新規に定期券を購入する場合、これらが区分されずに混じり合って表示されるのに比べ、希望する駅名を探し出すのが容易となるし、希望する駅が特定路線の駅であるか、他路線の駅であるかを定期券の購入時に予め知っていれば、さらに、表示されている候補駅名からこの希望する駅名を探し出すのが容易となる。
【００５０】
また、特定路線の候補駅名も、他路線の候補駅名も、予め決められた制限数以内のときに表示されるものであるから、希望の駅名を探し出すときの候補駅名の数が少なくて済み、簡単に希望の駅名を探し出すことができる。また、特定路線と他路線との候補駅名が表示されたときには、入力文字に対してもはやこれ以上の該当する候補駅名は存在しないことになり、文字の無駄な入力操作をなくすことができる。この場合、文字入力手段としてのキーボードが使用不能となるので、表示される候補駅名以上の候補駅名は存在しないことが顧客に知らされることになる。
【００５１】
また、利用頻度など、利用状況に応じた所定の条件に基づいて、表示される候補駅名の表示順序が設定されるので、かかる条件に合致する候補駅名は先頭などの通常人がみていく順次で直ぐにわかる位置に表示されることになり、顧客にとってはこのような駅名を見つけ易くなる。
【００５２】
降車駅入力画面４０ｂにおいて、特定路線降車駅表示欄４１，他路線降車駅表示欄４８ａ〜４８ｄのいずれかに表示されている候補駅名、例えば、駅名「海山市役所」の他路線降車駅表示欄４８ｃをタッチ操作して選択すると、制御部５（図１）はこの他路線の「海山市役所」駅を降車駅と決定し、先の図８で示す乗車駅入力画面３０ａで選択された特定路線の「山海山地」駅を乗車駅として、記憶装置１２（図１）もしくはサーバ２（図２）から定期券用の次の画面情報を読み出し、経路・期間選択画面５０を作成して接客ディスプレイ６に表示させる（図４のステップ２０４）。
【００５３】
この経路・期間選択画面５０では、図１２（ａ）に示すように、１つの経路を表示した１つの経路表示エリア５１ａとこれに対する定期券の有効期限を選択できる期間表示エリア５２ａとが表示される。この経路表示エリア５１ａには、乗車駅と降車駅とそれら間の経路とが表示され、その経路には、使用する鉄道会社の路線名や乗換え駅が表示される。そして、「山海山地」駅を乗車駅、「海山市役所」駅を降車駅とする経路が複数ある場合には（夫々の経路を、以下、候補経路という）、所定時間（例えば、１〜２秒などの短い時間）経過すると、図１２（ｂ）に示すように、経路表示エリア５１ａと期間表示エリア５２ａに追加して、２つ目の経路表示エリア５１ｂとこれに対する期間表示エリア５２ｂとが表示される。ここでは、経路・期間選択画面５０に表示される経路表示エリアは２個までと制限されており、さらに、候補経路がある場合には、「次の経路」ボタン５５が表示され、これをタッチ操作することにより、図示しないが、次の候補経路を表わす経路表示エリア５１ｃとその期間表示エリア５２ｃとが表示されるようになる。
【００５４】
この経路・期間選択画面５０で表示される候補経路が複数ある場合には、これらは所定の条件に基づく順序で表示される。この条件としては、乗換え回数や所要時間，料金などであって、ここでは、乗換え回数が最も少なく、所要時間も最も短い候補経路が最初に表示され（経路表示エリア５１ａに表示される候補経路がこの条件を満たしている）、次に、料金が最も安い候補経路が表示される（経路表示エリア５１ｂに表示される候補経路がこの条件を満たしている）。以下、夫々の条件に応じて夫々の候補経路が表示される。かかる条件は、経路表示エリア５１ａ，５１ｂ，……内に条件表示５１ａ2，５１ｂ2，……として表示される。
【００５５】
ここで、候補経路の表示順を決める条件及びその優先順位は、券売機の管理者などにより任意に設定することができる。即ち、上記の経路・期間選択画面５０（図１２）のように、乗換え回数及び所要時間が短いものが最初に表示され、料金が最も安いものが次に表示される例以外にも、種々の条件及び順序とすることが可能である。例えば、料金が安いものを最も優先順位の高い条件とし、同じ料金の場合には、所要時間が短いものを先に表示するように設定したり、乗換え回数が少ないものを最も優先順位の高い条件とし、乗換え回数が同じである場合には、所要時間が短いものを先に表示するように設定したりすることも可能である。
【００５６】
また、経路表示エリア５１ａ，５１ｂ，……には、候補経路の表示順番を示す順番表示５１ａ1，５１ｂ1，……も表示される。この順番表示はｘ／ｙで表わされ、ｘは表示順番を、ｙは検索された候補経路の個数を夫々表わされる。図示する例では、ｙ＝３であって、「山海山地」駅を乗車駅、「海山市役所」駅を降車駅とする候補経路が３個であり、経路表示エリア５１ａが第１番目の候補経路であって、経路表示エリア５１ｂが第２番目の候補経路であることを示している。
【００５７】
さらに、経路表示エリア５１ａ，５１ｂ，……には、その候補経路での所要時間５１ａ3，５１ｂ3，……も、例えば、２６分，３６分というようにして表示される。
【００５８】
経路表示エリア５１ａ，５１ｂ，……夫々とともに表示される期間エリア５２ａ，５２ｂ，……には、定期券の有効期間、例えば、「１ヶ月」，「３ヶ月」，「６ヶ月」毎の料金が表示されている。
【００５９】
経路・期間選択画面５０の以上の表示内容を見て、顧客は希望する経路，期間の定期券を選択することができる。この選択は、経路表示エリア５１ａ，５１ｂ，……、もしくは期間エリア５２ａ，５２ｂ，……での有効期間の表示部をタッチ操作で指定することにより、行なうことができる。
【００６０】
このように、指定した乗車駅，降車駅に対する候補路線が、代金や所要時間などの条件を考慮し、この条件を考慮した順序で複数表示するものであるから、顧客はかかる条件を考慮して希望の路線を選択することができる。また、夫々の候補経路毎に、所要時間や有効期間毎の代金も表示されるものであるから、候補経路を選択する際、所要時間や代金も確認することができる。
【００６１】
いま、経路・期間選択画面５０で順番表示５１ａ1が「１／３」の経路表示エリア５１ａをタッチ操作して選択したとすると（図４のステップ２０５）、制御部５（図１）は、選択した経路に対し、記憶装置１２から次の画像情報を読み出して期間選択画面６０を作成し、接客ディスプレイ６に図１３に示すように表示させる。
【００６２】
この期間選択画面６０では、経路・期間選択画面５０で選択された経路表示エリア５１ａと同じ内容の経路表示エリア６１と、有効期間毎のタッチボタン、即ち、「１ヶ月」ボタン６２ａ，「３ヶ月」ボタン６２ｂ，「６ヶ月」ボタン６２ｃとが表示される。これらボタン６２ａ，６２ｂ，６２ｃには、夫々その有効期限での料金も表示されている。これらボタン６２ａ，６２ｂ，６２ｃのいずれかをタツチ操作で選択することにより、経路表示エリア６１で表示される経路での定期券の有効期限を指定することができる。
【００６３】
なお、この期間選択画面６０には、「次の経路」ボタン６３も表示されており、これをタッチ操作することにより、図１２で表示される同じ乗車駅，降車駅の他の候補経路に関する期間選択画面６０に切り替えることができる。これにより、「戻る」ボタン６５をタッチ操作して図１２に示す経路・期間選択画面５０に戻らなくとも、他の候補路線の期間選択画面６０とすることができる。
【００６４】
期間選択画面６０で有効期間のボタン６２ａ，６２ｂ，６２ｃのいずれか１つをタッチ操作し、定期券の有効期間を指定すると（図４のステップ２０６）、制御部５は記憶装置１２の画像情報を取り込んで、使用開始日選択画面７０を作成し、接客ディスプレイ６に図１４に示すように表示させる（図４のステップ２０７）。なお、図１２に示す経路・期間選択画面５０において、希望する経路の経路表示エリア５１ａ，５１ｂ，……ではなく、これに付随した期間表示エリア５２ａ，５２ｂ，……の有効期間を表わすボタンをタッチ操作しても（この場合には、定期券での経路と有効期間とが決まる。図４のステップ２０５）、同様にして、図１４に示す使用開始日選択画面７０が表示されることになる（図４のステップ２０７）。
【００６５】
この使用開始日選択画面７０では、定期券の継続購入でその有効期間が完了する前に購入できるようにするために、今日を含む週を含めて、３週間のカレンダ７１が表示される。このカレンダ７１では、各日付けがタッチボタンの機能を有しており、「今日」の日付ボタンにマーク（例えば、カーソル状のマーク）７１ａが付されており、今日の日にちを明示している。例えば、今日が５月２７日（木）とすると、表示されるカレンダ７１は５月２３日（日）から６月１２日（土）までが表示される。
【００６６】
ここで、表示される３週間のカレンダのうち、使用開始日として指定できない日にちは選択できないように、（不活性）表示される。この例では、本日より前の日にちである５月２３日（日）から２６日（水）までと、新規購入の際には指定できない８日以上先の６月３日（木）から１２日（土）までは選択できない表示となっている。このように、使用開始日の指定の際にカレンダを表示することにより、使用開始日と曜日との関係や、使用開始日として指定可能・不可能な非を容易に把握することが可能となる。
【００６７】
顧客が定期券の希望する使用開始日をカレンダ７１でタッチ操作で選択すると、制御部５はこの指定された使用開始日を保持し、記憶装置１２（図１）から次の画像情報、即ち、氏名入力画面８０を読み取り、図１５に示すように接客ディスプレイ６に表示させる。
【００６８】
この氏名入力画面８０では、氏名入力欄８１とキーボード８２と「ローマ字」ボタン８２ａと「確認」ボタン８３と「一字削除」ボタン８４と「取消」ボタン８５と「戻る」ボタン８６とが表示され、これらキーボード８２と「ローマ字」ボタン８２ａと「一字削除」ボタン８４と「取消」ボタン８５と「戻る」ボタン８６とは、図６に示す乗車駅入力画面３０でのキーボード３３と「ローマ字」ボタン３３ａと「一字削除」ボタン３５と「取消」ボタン３６と「戻る」ボタン３７と同様である。
【００６９】
この氏名入力画面８０では、キーボード８２にタッチ操作することにより、定期券の購入者（顧客）の氏名を入力することができる。入力された氏名は氏名表示欄８１に表示される。
【００７０】
入力されてこの氏名表示欄８１で表示される氏名を確認した後、「確認」ボタン８３をタッチ操作すると、制御部５は記憶装置１２から定期券用の次の画面情報、即ち、性別選択画面９０を読み取り、接客ディスプレイ６に図１６に示すように性別選択画面９０を表示させる（図４のステップ２０９）。
【００７１】
この性別選択画面９０には、男性であることを示すためのタッチ操作可能な「男性」ボタン９１ａと女性であることを示すタッチ操作可能な「女性」ボタン９１ｂとが表示されている。そして、そのいずれか該当するボタンをタッチ操作することにより、制御部５が記憶装置１２から定期券用の次の画面情報、即ち、年齢入力画面１００を読み取り、接客ディスプレイ６に図１７に示すように年齢入力画面１００を表示させる（図４のステップ２１０）。
【００７２】
この年齢入力画面１００では、年齢を入力するためのテンキー１０１と、入力された年齢が表示される年齢表示欄１０２と、表示された年齢を確認するための「歳」ボタン１０３とが表示される。「一字削除」ボタン１０４，「取消」ボタン１０５及び「戻る」ボタン１０６も表示されるが、これらは図６に示す乗車駅入力画面３０での「一字削除」ボタン３５，「取消」ボタン３６及び「戻る」ボタン３７と同様である。
【００７３】
なお、年齢を入力する代わりに、生年月日を入力するようにしてもよい。生年月日を入力する場合には、次回以降の購入時にも、正確な年齢を計算して表示することができる。
【００７４】
この年齢入力画面１００で年齢を入力し、その確認後、「歳」ボタン１０３をタッチ操作すると、あるいは生年月日を入力し、これを決定する操作を行なうと、制御部５は、使用開始日からの有効期限日の計算などの処理を行ない、記憶装置１２から定期券用の次の画面情報、即ち、内容確認画面１１０を読み取り、接客ディスプレイ６に図１８（ａ）に示す経路や定期券の期間などの定期券情報を示す内容確認画面１１０を表示させ、この内容確認画面１１０の表示後所定時間（例えば、１〜２秒などの短い時間）経過すると、個人情報が追加された図１８（ｂ）に示す内容確認画面１１０が表示される（図４のステップ２１１）。
【００７５】
図１８（ａ）に示すこの内容確認画面１１０では、購入する定期券の使用開始日と有効期限日の表示エリア１１１，有効期間の表示エリア１１２，経路の表示エリア１１３が設けられており、夫々に該当する内容が表示される。また、これら表示エリア１１１，１１２，１１３には夫々、「変更」ボタン１１１ａ，１１２ａ，１１３ａが設けられており、これらにより、使用開始日と有効期限日，有効期間及び料金，経路毎に修正することができるようにしている。また、「確認」ボタン１１４や上記と同様の「取消」ボタン１１５，「戻る」ボタン１１６も表示される。
【００７６】
次に、図１８（ｂ）に示す内容確認画面１１０になると、個人情報エリア１１４が追加され、この個人情報の表示エリア１１４には、氏名の表示エリア１１５，性別の表示エリア１１６，年齢の表示エリア１１７，大人／小人別の表示エリア１１８，定期券の種類の表示エリア１１９も設けられている。そして、夫々の表示エリア１１５〜１１９毎に「変更」ボタン１１５ａ〜１１９ａが設けられており、氏名や性別，年齢，大人／小人別の変更ができるようにしている。
【００７７】
いま、「変更」ボタン１１１ａをタッチ操作すると、図１４に示す使用開始日選択画面１４が表示され、希望する日にちをタッチ操作することにより、図１８に示す内容確認画面１１０に戻って、表示エリア１１１で修正された使用開始日とこれに伴う有効期限日が表示される。また、この内容確認画面１１０で有効期間の表示エリア１１２の「変更」ボタン１１２ａをタッチ操作すると、図１３に示す期間選択画面６０が表示され、ボタン６２ａ〜６２ｃのいずれかをタッチ操作して有効期間を変更すると、図１８に示す内容確認画面１１０に戻り、表示エリア１１２で修正された有効期間が表示されるとともに、表示エリア１１１での有効期限日も修正されて表示される。また、この内容確認画面１１０で経路の表示エリア１１３の「変更」ボタン１１３ａをタッチ操作すると、図１６に示す乗車駅入力画面３０が表示され、上記のようにして、希望する乗車駅名を入力することができる。この場合、降車駅，経路についても変更があるので、少なくとも先に説明したステップ２０２から２０５までの操作が必要であり、この操作が終わると、図１８に示す内容確認画面１１０に戻り、表示エリア１１３の内容が変更されて表示される。
【００７８】
また、「変更」ボタン１１５ａをタッチ操作すると、図１５に示す氏名入力画面８０が表示され、キーボード８２をタッチ操作して正しい氏名を入力することにより、図１８（ｂ）に示す内容確認画面１１０に戻って、表示エリア１１５で修正された氏名が表示される。また、この内容確認画面１１０で性別の表示エリア１１６の「変更」ボタン１１６ａをタッチ操作すると、図１６に示す性別選択画面９０が表示され、「男性」ボタン９１ａ，「女性」ボタン９１ｂのいずれ正しい方をタッチ操作して性別を指定すると、図１８（ｂ）に示す内容確認画面１１０に戻り、表示エリア１１６で修正された性別が表示される。また、この内容確認画面１１０で年齢の表示エリア１１７の「変更」ボタン１１７ａをタッチ操作すると、図１７に示す年齢入力画面１００が表示され、上記のようにして、テンキー１０１をタッチ操作して正しい年齢を入力することができる。この入力操作が終わると、図１８（ｂ）に示す内容確認画面１１０に戻り、表示エリア１１７に変更された年齢が表示される。大人／小人別の表示エリア１１８の「変更」ボタン１１８ａをタッチ操作した場合も、同様に、その表示内容を変更できる。
【００７９】
なお、定期券の種類の表示エリア１１９の「変更」ボタン１１９ａをタッチ操作した場合には、定期券の種類を変更するものであるが、券売機ではこの変更をすることができず、例えば、「窓口に申し出てください」といったような案内画面が表示される。
【００８０】
ここで、各表示エリア１１１〜１１３，１１５〜１１９の表示内容を確認し、「登録」ボタン１１４をタッチ操作すると、制御部５は定期券の内容について確認されたと判定し（図４のステップ２１２）、記憶装置１２から次の画面を取り込み、これに領域（支払い代金）を付加した代金支払画面１２０を図１９に示すように接客ディスプレイ６に表示させる（図４のステップ２１３）。
【００８１】
この代金支払画面１２０では、「現金またはクレジットカードを挿入してください」といったような支払い方法を案内する案内メッセージ１２１と、支払い金額１２２とが表示される。また、この券売機１で使用できるカードの映像１２３が表示されている。ここでも、上記のような「取消」ボタン１２５や「戻る」ボタン１２６も表示される。さらに、矢印１２４でもって、挿入／排出口１６（図２）の場所が指し示される。
【００８２】
そこで、顧客がカードの挿入／排出口１６（図２）からクレジットカードを挿入すると、制御部５はこれを認識し（図４のステップ２１４）、記憶装置１２から取り込んだ画像情報をもとに図２０に示すような暗証番号入力画面１３０を作成し、接客ディスプレイ６に表示させる（図４のステップ２１５）。
【００８３】
この暗証番号入力画面１３０では、「暗証番号を入力してください」といったような入力案内メッセージ１３２と支払い代金１３２とが表示され、また、矢印１３３でもって暗証番号を入力するためのテンキー１５（図２）の場所が指し示される。このテンキー１５を用いて暗証番号を入力すると、制御部５は記憶装置１２から次の画像情報を読み取り、これに支払い代金を付加して図２１に示す領収書発行選択画面１４０を作成し、接客ディスプレイ６に表示させる（図４のステップ２１６）。
【００８４】
なお、図１９に示す代金支払画面１２０の案内に対し、現金投入口１８（図２）から現金を投入すると、次には、図２１に示す領収書発行選択画面１４０に移ることになる。
【００８５】
この領収書発行選択画面１４０には、「領収書を発行しますか？」といったような案内メッセージ１４１と支払い代金１４２が表示されるとともに、発行してもらうかどうかを選択するための「領収書を発行する」ボタン１４３ａと「領収書を発行しない」ボタン１４３ｂも表示される。
【００８６】
「領収書を発行する」ボタン１４３ａがタッチ操作されると、制御部５ははっけんユニット１１（図２）を稼働させて領収書を作成し、図２の定期券排出口１７からこの領収書を排出して顧客に発行し、また、「領収書を発行しない」ボタン１４３ｂがタッチ操作されると、制御部５は領収書を発行しない。そして、制御部５は記憶装置１２から次の画像情報、即ち、図２２に示す案内画面１５０を取り込み、これを接客ディスプレイ６に表示させる。
【００８７】
この案内画面１５０には、「カードと定期券をお受取りください」（現金で支払う場合には、「定期券をお受取りください」、また、お釣りがある場合には、「おつりと定期券をお受取ください」）といった案内メッセージ１５１と下向きの矢印とが表示される。一方の矢印１５２ａはカードの挿入／排出口１６（図２）の位置を指し示すものであり、ここから挿入したクレジットカードが排出される。また、他方の矢印１５２ｂは図２における図示しない釣銭の排出口を指し示すものであり、ここから釣銭が排出される（図４のステップ２１７）。また、定期券が排出される位置を指し示す矢印を表示するようにしてもよい。
【００８８】
クレジットカードや現金が顧客によって取り込まれると、制御部５はこれを確認し、記憶装置１２から図２３に示すような終了画面１６０を取り込んで接客ディスプレイ６に表示させ（図４のステップ２１８）、所定時間経過後、図５に示す初期画面２０に戻る。
【００８９】
以上は定期券を新規購入する場合であったが、予約した定期券を受け取る場合には、図５に示す初期画面２０において、「予約受取」ボタン２２をタッチ操作する。これにより制御部５は、記憶装置１２から所定の画像情報を読み取ることにより、図示しない予約番号入力画面を接客ディスプレイ６に表示する（図４のステップ２１９）。この予約番号入力画面の指示に従って顧客がテンキー１５（図２）から予約番号を入力すると、制御部５の制御動作により、図１８に示す内容確認画面１１０が表示される（図４のステップ２１１）。これ以降は、定期券の新規購入と同様、図４のステップ２１２〜２１８の処理，画面表示が行なわれる。
【００９０】
また、定期券の継続購入をする場合には、図２では図示しない定期券の挿入口からこれまで使用してきた定期券（以下、旧定期券という）を挿入するか、図５に示す初期画面２０において（図４のステップ２００）、「継続」ボタン２３をタッチ操作すると（図４のステップ２０１）、旧定期券挿入ガイダンスが表示され、このガイダンスに従って旧定期券を挿入すると、制御部５がこの挿入された旧定期券の所定情報を読み取り、これをサーバ２（図１）に送ってこの旧定期券に関する個人情報や経路，有効期限日などの情報を取り込み、かかる情報を用いて次に発行する定期券に関する情報を作成する。そして、この作成した情報をもとに、記憶装置１２から読み取った画像情報から図２４（ａ），（ｂ）に示すような内容確認画面１７０を作成し、図１８に示した内容確認画面１１０と同様、まず、図２４（ａ）示す内容確認画面１７０を、これについで図２４（ｂ）に示す内容確認画面１７０を接客ディスプレイ６に表示させる。この図２４（ｂ）に示す内容確認画面１７０で定期券の内容確認ができる。
【００９１】
図２４（ｂ）に示す内容確認画面１７０では、図１８（ｂ）に示した内容確認画面１１０と同様の継続する定期券の使用開始日と有効期限日の表示エリア１１１，有効期間の表示エリア１１２，経路の表示エリア１１３が設けられているとともに、個人情報の表示エリア１１４が設けられ、この個人情報の表示エリア１１４には、氏名の表示エリア１１５，性別の表示エリア１１６，年齢の表示エリア１１７，大人／小人別の表示エリア１１８，定期券の種類の表示エリア１１９も設けられている。
【００９２】
そして、夫々の表示エリア１１１〜１１３，１１５〜１１９毎に「変更」ボタン１１１ａ〜１１３ａ，１１５ａ〜１１９ａが設けられているが、経路を変更する場合には、継続購入ではなく、新規購入となるため、経路の表示エリア１１３の「変更」ボタン１１３ａは不活性にする。また、個人情報のうち、性別，大人／小人，定期券の種類は、通常、変更する必要がなく、これらを変更する場合には、新規購入となる。このため、性別の表示エリア１１６の「変更」ボタン１１６ａ，大人／小人別の表示エリア１１８の「変更」ボタン１１８ａ，定期券の種類の表示エリア１１９の「変更」ボタン１１９ａは不活性とし、使用できないようにしている。なお、年齢については、継続購入時に図１７に示すような年齢入力画面で入力した年齢に誤りが生ずる可能性があるので、年齢の表示エリア１１７の「変更」ボタン１１７ａを使用可能としたが、不活性としてもよい。但し、年齢の代わりに生年月日を入力する場合には、継続購入の場合、正確な年齢を計算して表示できるため、変更は不要である。
【００９３】
使用開始日と有効期限日の表示エリア１１１，有効期間の表示エリア１１２，氏名の表示エリア１１５及び年齢の表示エリア１１７の表示内容に誤りがあれば、「変更」ボタン１１１ａ，１１２ａ，１１５ａ，１１７ａ，１１９ａのうちの該当するものをタッチ操作することにより、この誤りを訂正するための画面表示が行なわれる。「変更」ボタン１１１ａ，１１２ａがタッチ操作された場合に、図１８（ｂ）に示す内容確認画面１１０で「変更」ボタン１１１ａ，１１２ａがタッチ操作させた場合と同様であり、表示エリア１１１〜１１２の表示内容を修正することができる。「変更」ボタン１１５ａがタッチ操作されたときには、図１５に示す氏名入力画面８０が表示され、これにより、表示エリア１１５に表示される氏名の誤りを修正することができる。「変更」ボタン１１７ａがタッチ操作されたときには、図１７に示す年齢入力画面１００が表示され、これにより、表示エリア１１７に表示される年齢の誤りを修正することができる。「変更」ボタン１１９ａがタッチ操作されたときには、定期券の種類に誤りがあることになるが、この場合には、例えば、「窓口に申し出てください」といったような案内画面が表示される。これは、通勤定期以外の定期券、即ち、通常定期券や通学定期券などを新規購入する場合、身分証明書や学生証の提示も必要なので、窓口で購入するようになるためである。
【００９４】
このようにして、予約により定期券を購入する場合も、継続で購入する場合も、その定期券の内容を確認，訂正してから購入することが可能となり、券売機で希望する定期券を間違いなく購入することができる。
【図面の簡単な説明】
【００９５】
【図１】図１は本発明による券売機の画面表示方法を用いたシステムを示す構成図である。
【図２】図１における券売機の外観斜視図である。
【図３】図２に示す券売機の正面図，側面図，平面図，底面図及び背面図である。
【図４】本発明による券売機の画面表示方法の一実施形態の画面表示の流れを示すフローチャート図である。
【図５】図４に示す実施形態による図２に示す券売機での初期画面を示す図である。
【図６】図４に示す実施形態による図２に示す券売機での乗車駅入力画面の一具体例を示す図である。
【図７】図６での特定路線と他路線とを説明するためのを示す図である。
【図８】図４に示す実施形態による図２に示す券売機での乗車駅入力画面の他の具体例を示す図である。
【図９】図４に示す実施形態による図２に示す券売機での降車駅入力画面の一具体例を示す図である。
【図１０】図４に示す実施形態による図２に示す券売機での降車駅入力画面の他の具体例を示す図である。
【図１１】図４に示す実施形態による図２に示す券売機での降車駅入力画面のさらに他の具体例を示す図である。
【図１２】図４に示す実施形態による図２に示す券売機での経路・期間選択画面の一具体例を示す図である。
【図１３】図４に示す実施形態による図２に示す券売機での期間選択画面の一具体例を示す図である。
【図１４】図４に示す実施形態による図２に示す券売機での使用開始日入力画面の一具体例を示す図である。
【図１５】図４に示す実施形態による図２に示す券売機での氏名入力画面の一具体例を示す図である。
【図１６】図４に示す実施形態による図２に示す券売機での性別選択画面の一具体例を示す図である。
【図１７】図４に示す実施形態による図２に示す券売機での年齢入力画面の一具体例を示す図である。
【図１８】図４に示す実施形態による図２に示す券売機での内容確認画面の一具体例を示す図である。
【図１９】図４に示す実施形態による図２に示す券売機での代金支払画面の一具体例を示す図である。
【図２０】図４に示す実施形態による図２に示す券売機での暗証番号入力画面の一具体例を示す図である。
【図２１】図４に示す実施形態による図２に示す券売機での領収書発行選択画面の一具体例を示す図である。
【図２２】図４に示す実施形態による図２に示す券売機での案内画面の一具体例を示す図である。
【図２３】図４に示す実施形態による図２に示す券売機での終了画面の一具体例を示す図である。
【図２４】図４に示す実施形態による図２に示す券売機での内容確認画面の他の具体例を示す図である。
【符号の説明】
【００９６】
１  券売機
２  サーバ
５  制御部
６  接客ディスプレイ
７  タッチパネル
８  入力ユニット
９  カードユニット
１０  現金ユニット
１１  発券ユニット
１２  記憶装置
１３  記憶装置
１５  テンキー
１６  カードの挿入／排出口
１７  定期券排出口
１８  現金投入口
２０  初期画面
２１  定期券の「新規購入」ボタン
３０  乗車駅入力画面
３１，３１ａ，３１ｂ  特定路線乗車駅表示欄
３４  入力文字表示欄
４０  降車駅入力画面
４１，４１ａ，４１ｂ  特定路線降車駅表示欄
４４  入力文字表示欄
４８ａ〜４８ｄ  他路線降車駅表示欄
５０  経路・期間選択画面
５１ａ，５１ｂ  経路表示エリア
５２ａ，５２ｂ  期間表示エリア
６０  期間選択画面
７０  使用開始日選択画面
７１  カレンダ
８０  氏名入力画面
９０  性別選択画面
１００  年齢入力画面
１１０  内容確認画面
１２０  代金支払画面
１３０  暗証番号入力
１４０  領収書発行選択画面
１５０  案内画面
１６０  終了画面
１７０  内容確認画面
【図１】
2006031362.tif 000003
【図２】
2006031362.tif 000004
【図３】
2006031362.tif 000005
【図４】
2006031362.tif 000006
【図５】
2006031362.tif 000007
【図６】
2006031362.tif 000008
【図７】
2006031362.tif 000009
【図８】
2006031362.tif 000010
【図９】
2006031362.tif 000011
【図１０】
2006031362.tif 000012
【図１１】
2006031362.tif 000013
【図１２】
2006031362.tif 000014
【図１３】
2006031362.tif 000015
【図１４】
2006031362.tif 000016
【図１５】
2006031362.tif 000017
【図１６】
2006031362.tif 000018
【図１７】
2006031362.tif 000019
【図１８】
2006031362.tif 000020
【図１９】
2006031362.tif 000021
【図２０】
2006031362.tif 000022
【図２１】
2006031362.tif 000023
【図２２】
2006031362.tif 000024
【図２３】
2006031362.tif 000025
【図２４】
2006031362.tif 000026